(57)【特許請求の範囲】
【請求項１】
指を入れるための両端が開口された筒状の複数の指入れ部と、
前記複数の指入れ部の両端の１方の開口の辺から繋がった平面部と、
前記複数の指入れ部の両端の前記１方の開口の辺から突出した折り返し部と、
前記複数の指入れ部間に位置する指間部と、からなり、
前記複数の指入れ部の外側に位置する前記指入れ部の筒状の両端間の側面は開口され、
前記平面部は、足を乗せるシート状部分であり、
前記折り返し部は、前記平面部に対して跳ね上げられるシート状部分であり、
前記指入れ部と前記平面部と前記折り返し部とが、シート状の不織布からなり、
前記平面部と前記折り返し部とは、前記指入れ部の両端の前記１方の開口を中心に分かれて配置されていることに特徴がある指間装具。
【請求項２】
前記複数の指入れ部が３つのみである請求項１記載の指間装具。
【請求項３】
前記指間部は、直線部を有する請求項１または２記載の指間装具。
【請求項４】
前記指間装具は、全体がシート状の不織布からなる請求項１から３のいずれか１項に記載の指間装具。
【請求項５】
前記指間装具の表面に水分を吸収する粉を付着された請求項１から４のいずれか１項に記載の指間装具。
【請求項６】
前記指間装具の表面に抗菌剤を付着させた請求項１から５のいずれか１項に記載の指間装具。
【請求項７】
請求項１から６のいずれか１項に記載の指間装具が、シート状で積層されて、パックにされている指間装具のパッケージであって、
前記パッケージの上面または側面に開口部がある指間装具のパッケージ。
【発明の詳細な説明】
【技術分野】
【０００１】  本発明は、足または手の指間に装着する指間装具に関する。
【背景技術】
【０００２】  従来から、シート状の指間装具が知られている（特許文献１）。指間装具は、足の指間に位置させるもので、足の汗などを吸収するものである。
従来の指間装具を図１０（ａ）、図１０（ｂ）に示す
図１０（ａ）は、従来の指間装具２０３の平面図であり、図１０（ｂ）は、従来の指間装具２０３を足１０４の指１０２に装着した状態を示す図である。従来の指間装具２０３は、包帯のような包帯布１００に、足の指がはいる切込み１０１を５つ設けてあり、その切込み１０１に指１０２を挿入する。実際に、足１０４の指１０２に、指間装具２０３を挿入すると、包帯布１００が伸びて、図１０（ｂ）のように、足１０４の指１０２の間に、指間装具２０３が位置する。しかし、指１０２の大きさ、指１０２の間の隙間は、人により異なり、シート１枚に一定の切込み１０１を設けた指間装具２０３では十分に、フィットできない。
指間装具２０３が指１０２の足指１０２裏の凹みの隙間は、誰もが一番汗をかく、１枚の十字状の切り込みに、指１０２を通り抜けるだけでは、十分にフィットしない。
【先行技術文献】
【特許文献】
【０００３】
【特許文献１】特開２００３−３２８２１６号公報
【発明の概要】
【発明が解決しようとする課題】
【０００４】  この発明はこれら従来の問題点を解決するためになされたものであり、人に依存せず、各人の指間に、配置されるが、誰もが一番汗をかく、足指裏の凹みに十分にフィットする事ができる指間装具を実現する。
さらに、指間装具とともに足裏の汗にも便利な指間装具と、足指の病気予防に関する指間装具を実現する。
【課題を解決するための手段】
【０００５】  上記の如き課題を解決するため、線状の芯部と、前記芯部から周辺へ飛び出すように配置されたひだ部とからなり、前記芯部と前記ひだ部とが、１つの不織布であることに特徴がある指間装具を用いる。
また、前記指間装具を指間に巻いて使用する指間装具の使用方法を用いる。また、前記指間装具が、シート状で積層されて、パックされている指間装具のパッケージであって、前記パッケージの上面または側面に開口部がある指間装具のパッケージを用いる。
シート状の不織布を用意し、前記不織布を折りたたみ、前記折りたたんだ不織布に端から切り目を入れる指間装具の製造方法を用いる。
【発明の効果】
【０００６】  本発明のひも状の不織布からなる指間装具は、薄いシートを重ねて使用することでゴワゴワ感をなくし、誰もが一番汗をかく、足指裏の凹みの隙間にまで、フィットする事ができる、足の大きさに依存せず、足指５本と足裏の汗を、指間装具２０３を取り替え、破棄する事で、臭いにも悩まされず、ストレスを溜める事なく水虫予防におおいに役立。さらに、５本の指間装具は、図５、図６は足裏のジメジメ感も軽減される。シート状の不織布からなるので、パッケージとして提供しやすい。
【図面の簡単な説明】
【０００７】
【図１】（ａ）本発明の指間装具の図、（ｂ）本発明の指間装具を足に用いた図、（ｃ）本発明の指間装具を足に用いた図。
【図２】（ａ）〜（ｄ）本発明の指間装具の製造方法を示す図。
【図３】（ａ）〜（ｃ）本発明の指間装具を示す図。
【図４】（ａ）〜（ｃ）本発明の指間装具をパッケージしたものを示す図。
【図５】（ａ）〜（ｄ）本発明の指間装具の図。
【図６】（ａ）、（ｂ）本発明の指間装具を示す図。
【図７】（ａ）〜（ｄ）本発明の指間装具の製法を示す図。
【図８】（ａ）本発明のカバーを示す図、（ｂ）本発明のカバーを足につけた図。
【図９】（ａ）〜（ｃ）本発明のカバーの図。
【図１０】（ａ）従来の指間装具の平面図、（ｂ）従来の指間装具を足に適用した例を示す図。
【発明を実施するための形態】
【０００８】（実施の形態１）
以下、この発明の実施例を添付図面に基づいて説明する。図１（ａ）は、本発明の指間装具２０３の斜視図である。図１（ｂ）、（ｃ）は、本発明の指間装具２０３を人の足１０４へ装着した状態を示す。
本発明の指間装具２０３は、ひだ２０１と芯２０２とからなる。
ひだ２０１は、細長い棒状、または、線状の部分で、多くの線状、または棒状のひだ２０１が、芯２０２から突出されて、芯を中心に、２方向、または、４方向、周辺へ伸びている。長さは、１ｃｍから２ｃｍ程度であり、指１０２の長さの半分程度である。ひだ２０１は、芯２０２を直方体とした場合、少なくとも、その両側面から伸びている。
芯２０２は、ひだ２０１間を連結する部分で線状の芯である。１本の直方体、ひも状である。多数のひだ２０１を有する。芯２０２の幅は、約１ｍｍから０．５ｍｍである。
【０００９】  指間装具２０３は、不織布からなる。不織布とは、繊維を、織布工程を経ることなしに、平行または不定方向に配列させ、合成樹脂を接着剤で結合し、フェルト状にした被覆材料である。原料は、ポリプロピレン、ポリエチレン等例えば、回収ペットボトルから作られた再生ＰＥＴ（ポリエチレンテレフタート）６５％、ポリエチレン３５％等がある。
不織布のうち、加熱加圧で接着できるタイプのものがこの発明に適している。
本発明では、シート状の不織布から作製されるので、つなぎ目がなく加工もしやすい。
【００１０】  足１０４への本発明の指間装具２０３の装着は、図１（ｂ）のように、指１０２間を互い違いに巻いて用いることができる。さらに、巻いていき、図１（ｃ）のように、全ての指１０２の周りを巻いてもよい。
指間装具２０３の端部は、足指裏の凹み等の隙間に収まる。靴下の脱着で外れない。したがって破棄する時は繋がって外しやすく、取り替えが簡単である。指１０２の１本ごとに巻いても、２本ごとに巻いても、親指など特定の指に巻いてもよい。薬剤を塗った場合も、靴下も汚れず、便利である。
本発明の指間装具２０３では、人の足１０４の大きさによらず、その指１０２の周りに巻くことができる。さらに、芯２０２は、ひも状の形状であるので、指１０２に巻いていくことが簡単にできる。さらに、ひだ２０１により、指間に、空間を有しながら、装着できて通気性が確保できる。又、ひだ２０１の長さが、１から２ｃｍ位で、指の長さの半分程度なので、指から突出せず、かつ、足指裏の凹み等の隙間に埋めることができる。指間装具２０３は、足指裏の凹みの隙間にまで、十分にフィットする
破棄する時は繋がって着脱が容易である。汗ばんだ時に取り替えると、わら草履を装着したようなサラッとかんでストレスも軽減できる。
【００１１】（実施の形態２：製造方法）
図２（ａ）から図２（ｄ）、図３（ａ）から図３（ｃ）を用いて、本発明の指間装具２０３の製造方法を示す。約厚み０．０２ｍｍ位のシート状の、不織布３００を用意する。薄いシートを重ねて使用することでゴワゴワ感をなくしてフィットする。３から４つに折りたたむ。折りたたんだものに、切れ目３０１を１つの端、側面、横から入れる。その後、折りたたんだものを広げると、図１（ａ）の指間装具２０３ができる。
【００１２】  図２（ｃ）のように両端から切れ目３０１を入れてもよい、この場合、図２（ｂ）に比較して、ひだ２０１の幅が広がる。
図２（ｄ）のように、両端から、短い切れ目３０１を入れてもよい。この場合、図２（ｃ）と比較して、ひだ２０１の長さが短くなる。
図３（ａ）と図３（ｂ）に別の切り目を入れた例を示す。  図２（ｂ）から図２（ｄ）では、切れ目３０１は、直線であったが、図３（ａ）では、Ｖ字の切れ目３０１を入れている。この場合に、広げると、指間装具２０３は、図３（ｂ）となる。ひだ２０１が直線である場合より、Ｖ字のような屈曲した形状の方が、より、指間、足指裏の凹みを埋め、指間に馴染み、フィットする。切れ目３０１は、湾曲させた形状や曲線でもよい。図３（ｃ）のようなジグザクの切れ目３０１でもよい。
【００１３】  切れ目３０１を設ける方法は、カッターなどで不織布３００をカットしてもよい。また、カッターなどの刃を埋め込んだ型により、不織布３００を押さえ込んで、複数枚の不織布に、切り目を設けてもよい。
【００１４】（実施の形態３：提供形態）
本発明の指間装具２０３の提供方法を、図４（ａ）、（ｂ）を用いて説明する。本発明の指間装具２０３は、使い捨てで用いられる。
足指の汗でストレスを溜める事なく、臭いに悩まされず、水虫から開放されるために、朝から出かけて帰宅する迄に、指間装具２０３を、４０３パックから取り出し、指１０２に巻いて、靴下を履く。汗ばんだら靴下を脱ぐ時に、指１０２から、指間装具２０３をはずし廃棄する。次回４０３パックから取り出し新しい指間装具２０３を取り替える。
風呂あがりや、薬剤使用後も、指間装具２０３を指１０２に巻く。汗ばむと新しい指間装具２０３を取り替えることで、臭いも軽減もできる。従って、水虫予防におおいに役立ちストレスも軽減する
【００１５】  この場合、図４（ａ）、（ｂ）に示すようにパック４０３に複数枚の図２（ｂ）から図２（ｄ）、図３（ａ）、図３（ｃ）に示す、切り目を入れた、不織布３０１を４０２で包装してセットしておく、日々、このパック４０３の開口４０１から不織布３０１を１枚取り出し使用する。取り出した後、不織布３０１を広げ、指間装具２０３を足の指１０２にまき、靴下を履く。
図４（ａ）は、上部に、図４（ｂ）は、側面から上面につながった開口４０１を設けている。さらに、図４（ｃ）のように携帯用に、薄型のパック４０３も可能である。携帯できるように、蓋４０９を設けている。
シート状の段階でパッケージにするので、コンパクトになり、携帯し易く、かつ、取り扱いしやすい。また、シールパックでもよい。
【００１６】（実施の形態４）
本発明の指間装具２０３に、粉を付着させておくと、より、さらさら感がでる。つまり、図２の製造のある段階で、粉を付着させておく。
図２（ａ）の不織布３００を準備した時点でシート状の不織布３００に粉を付着させると全体に付着させやすい。）
【００１７】  また、図４（ａ）から図４（ｃ）にて、ベビーパウダー、天花粉を用いることができる。抗菌剤を付着させてもよい。  なお、図４（ｃ）のパッケージにおいては、粉、抗菌剤をつけた指間装具２０３の場合、開口４０１を開閉できる構造を設ける。蓋４０９は、一度開けた後もしっかり開閉できる。
【００１８】  特に、夏の外出時に、水で足を洗えない時に、この発明の指間装具２０３を交換するだけで爽快感が得られ臭いも、ストレスも軽減される。さらに、冬のブーツを履くときも、同様に、指間装具２０３が役立つ。
【００１９】  （実施の形態５）
図５（ａ）〜（ｄ）に別の指間装具２０３の例を示す。
（構成）
図５（ａ）の指間装具２０３では、指入れ部６０１と平面部６０３と、開口部６０５、折り返し部６０９とからなる。
指入れ部６０１は、平面部６０３に、足を載せ指入れ部６０１に挿入する。前記、挿入するには、指入れ部６０１の両端に開口部６０５があり、折り返し部６０９が形成されている。折り返し部６０９を上に跳ね上げ、平面部６０３に、足を載せ指入れ部６０１に中央の３本指を挿入する。親指と小指は、外側にあり、指の太さや形状が異なるので、図５（ｃ）の指入れ部６０４が装着するとよい。
【００２０】  平面部６０３は、指入れ部６０１の下面から繋がり、平面状の部分で足の裏面を載せる部分である。
図５（ｂ）の指間装具２０３では、図５（ａ）の構成に、さらに、指間部６０６を有する。指間部６０６は、指入れ部６０１の間をつなぐ部分で直線状の部分である。指入れ部６０１間で凹部状に凹んでいる。図５（ａ）に指間部６０６をさらに設けることで、指の太さ等個人差が有り、装着しやすくした。さらに、平面部６０３は、幅広くなり足の裏に保湿クリーム等を塗った場合にも踵の裏だけでなしに側面にまでガードして靴下が履ける。
指間装具２０３をさらに、図５（ｃ）を全ての指５本にも装着して使用できる。図５（ｃ）の指入れ部６０４の開口部６０５が両端でなく片方だけでもよい。指の側面に、病気のあるときは重宝する。
【００２１】図５（ａ）、（ｂ）に、開口部６０５設けたことで折り返し部６０９を上に跳ね上げ、足の指１０２を指入れ部６０１に挿入する。折り返し部６０９を手で摘むと、指入れ部６０１の挿入口に空洞ができ、足の指１０２を、挿入する。平面部６０３は、足の裏に接触し、足の裏の汗に対応できジメジメ感も軽減される。さらに、足の裏に保湿クリームや薬剤等を塗った場合にも、靴下を履き替える場合に、指間装具２０３を破棄する事で靴下の洗濯にも便利である。靴下に直接薬剤などの油分が付かない。
指入れ部６０１を芯と考えると、芯を中心に折り返し部６０９と平面部６０３とがあり、上記の例と同様に芯部の両側にひだ部が配置されている。
図５（ｃ）は、図５（ａ）の指間装具２０３と組み合わされて使用される指間装具２０３である。
【００２２】  指入れ部６０４と、２つの開口部６０５と、指入れ部６０４の下部に位置する２つの折り返し部６０９とからなる。指入れ部６０４を芯と考えると、両端に折り返し部６０９が配置されるので、芯を中心に２つの折り返し部６０９があり、上記の例と同様に芯部の両側にひだ部が配置されている。
指入れ部６０４は、筒部分が、１つのみである。１本の指のみ入れる。
図５（ｃ）は、指入れ部６０４の開口部６０５が両側にあり、開口部６０５は、大きく開放するので指１０２を挿入しやすくした。
また、指入れ部６０４の開口部６０５が片方でもよい。指の側面に薬剤を塗った時に便利である。
【００２３】図５（ｄ）は、指間装具２０３を足に装着する状態を示している。折り返し部６０９を、上に跳ね上げ、指間装具２０３にはめる。
（使用方法）
図５（ａ）、（ｂ）の指間装具２０３を親指、小指以外に装着し、親指、小指には、図５（ｃ）の指間装具２０３を装着して使用できる。図５（ｃ）の指間装具２０３は、補助的に装着するもので、必須ではない。ただし、図５（ｃ）の指間装具２０３を単独で使用することができる。
【００２４】  （効果）
指入れ部６０１の両端に開口部６０５があり、折り返し部６０９が形成されていることによって上に跳ね上げられ指入れ部６０１に挿入しやすく・・・指入れ部６０１に中央の３本指を挿入する。
外側の親指と、短い小指は、挿入しやすい指間装具２０３（ｃ）指入れ部６０４に挿入すると５本の指間装具が装着される。折り返し部６０９は、指入れ部６０１の上面から繋がり、平面部６０３は、足の裏側のジメジメ感を軽減し装着しやすく便利である。又、足のケアーで油分のある塗り薬を使用しても、指間装具２０３は、便利である。
中央の足指３本のみを挿入する図５（ａ）の指間装具と、図５（ｃ）の指のみの指間装具２０３とを用いることで全指を覆う。個人差のある太い親指と、短い小指に便利である。さらに、薬剤等塗る場合にも重宝である
なお、指入れ部６０１は３つの場合で説明したが、１本または２本の場合もでもよい。
【００２５】（実施の形態６）
図６（ａ）、図６（ｂ）に実施例を示す。図６（ａ）は、指入れ部７０１と切り欠き７０２と挿入口７０５、折り返し部７０９とからなる。
指入れ部７０１は、指を入れる部分であり、中央に３つの円柱状のものと、両脇に側部が欠けている円柱状のものとからなる。
折り返し部７０９は、ひだ形状で、指入れ部７０１の上面、下面の下端に配置されている。指間装具２０３を足にはめるときに手でもつところである。指入れ部７０１を芯とすれば両端に折り返し部７０９、つまり、ひだ部がある。
【００２６】  切り欠き７０２は、指入れ部７０１のうち、両脇にある指入れ部７０１において、側面に設けられた開口である。側面全体にある。
挿入口７０５は、指入れ部７０１につながる部分にあり、指を挿入する部分である。
図６（ｂ）では、さらに、平面部７０３がある。平面部７０３は、足の裏を保持する部分である。平面部７０３をひだ部とし、指入れ部７０１を芯とすれば、芯の両端にひだ部がある。
【００２７】（使用方法）
指間装具２０３を足に装着する場合に、両端に開口部７０２があり、折り返し部７０９を上に跳ね上げ平面部７０３に、足裏部を乗せ、挿入口７０５から指入れ部７０１に挿入する。外側の親指と短い小指は、両端に開口部７０２は、指入れ部７０１に添わすだけで５本の指間装具が装着される。
（効果）
折り返し部７０９は、指入れ部７０１の上面から繋がり、平面部７０３は、足の裏側のジメジメ感を軽減する。さらに、平面部７０３は幅広く、足のケアーで側面に迄、油分のある塗り薬を使用した時には、指間装具２０３は、踵を包むように覆うことができる。装着後、平面部７０３は足の裏を保持する。図６の（ｂ）は切り欠き７０２があるので、１枚で５本の指間装具が装着される。
【００２８】（実施の形態５と６のまとめ）
複数の連続する足の指を入れる筒状の指入れ部７０１、６０１からなることに特徴がある指間装具ある。
さらに、前記連続する筒状の指入れ部７０１、６０１間に位置する指間部６０６とからなる指間装具である。
さらに、前記筒状の指入れ部７０１、６０１に接続される平面部６０３、７０３とからなる指間装具である。
なお、図５、６の例、および、この明細書の他の例においても、足は、右足、左足どちらでも対応できるように、変形させられる。
【００２９】  さらに、両端に位置する指入れ部７０１、６０１に開口部６０５、または、切り欠き７０２が設けられた指間装具である。
さらに、前記連続する指入れ部７０１、６０１である筒状部分が１つ、または、２つ、または、３つである指間装具である。
さらに、１つから３つの連続する指を入れる筒状の部分、指入れ部７０１、６０１からなる前記指間装具と、１本の指を入れる筒状の指入れ部６０４からなる指間装具とを足の指に装着する使用方法である。
【００３０】（実施の形態７）
図７（ａ）から図７（ｄ）は、図５から図６の指間装具の製造方法を示す。
図７（ａ）は、不織布を筒状にしたものである。シート状の不織布を円柱上に巻いて、その端部のつなぎ１００１を熱で圧着して接合する。粘着剤が不織布に設けられている。図７（ｂ）は、図７（ａ）の筒状を適切な長さにカットしたものである。側面をカットすれば図５（ｃ）となる。図７（ｃ）は、大きく円柱を作製後、上辺２箇所にわけ目１００２を熱圧着で設けたものである。熱圧着でその部分は、分離され、かつ、表面と裏面間が接着される。このような、方法を組み合わせることで、図５、図６の指間装具を作製できる。また、図７（ｄ）では、さらに、わけ部１０１２を設けている。わけ部１０１２を切り取り、その周辺を熱圧着する。いろいろな形状を作製することができる。わけ部１０１２の形状を変化させればいろいろな形状を作製できる。他の例も、同様の方法で作製できる。
【００３１】（実施の形態８）
図８に、足を覆うカバー８０１の例を示す。図８（ａ）は、足１０４に装着前の状態を示す。
【００３２】  図８（ａ）は、カバー上部８０２と、カバー下部８０４と、カバー切り欠き部８０３と、切り欠き中央部８０５と、袋綴じ部８０６とからなる。
カバー上部８０２は、カバーの上部で、円柱状の筒である。
カバー下部８０４の、上端のシールは、前足を挿入する部分を形成する。
カバー切り欠き部８０３は、カバー上部８０２とカバー下部８０４とをわける部分である。カバー８０１の縦方向のほぼ中央にある。
切り欠き中央部８０５は、カバー切り欠き部８０３につづく部分で、カバー切り欠き部８０３の直線部に対して、切り欠き中央部８０５が斜め下方向へ直線状にもけられているので、カバー下部８０４の上端にシールができて、靴状の前足部分を形成する。
【００３３】  袋綴じ部８０６は、カバー８０１の上辺以外の周囲を閉じている部分である。
切り欠き中央８０５が、下部へ切り込まれているので、カバー下部８０４の上端にシールができて、前足を挿入する部分が形成される。
さらに、切り欠き中央８０５が、下部へ切り込まれているので、・・・・・装着すると、切り欠き中央部８０５が開き足の甲にフィットする。
使用方法を、図８（ｂ）に示す。カバー８０１の上辺から、足１０４を入れて、袋綴じ部８０６と、カバー上部８０２を、切り欠き中央部８０５まで外側に折り返し、折り返したカバー上部８０２をねじって、ねじった輪に足先を通し、土踏まずの位置で、カバー８０１を足に固定する。この状態で靴下を履く。このカバー８０１は、足と靴下の間に位置し、特に、ブーツ等を履く時には、臭いや、蒸れが軽減される。さらに、カバー８０１と指１０２に、図１の（ａ）（ｂ）（ｃ）叉は、図５の（ａ）（ｂ）（ｃ）（ｄ）と重ねて使用することもできる。
就寝前に足指や踵をクリーム等でケアーした後も、前記のように、カバー８０１と、指間装具２０３と重ねて、カバー上部８０２の端部（図８（ａ）の右端）をきって、足首に結ぶとしっかりと足に固定できる。切り欠き中央８０５が、下部へ切り込まれているので、足を挿入すると、足の甲にフィットする。さらに、自宅以外で素足にスリッパを、特に温泉等で気になることが多い、カバー８０１の、内側を外側に返して装着すると、綴じ部が裏側に縫製された履物の様になり、切り欠き部中央８０５は、足の甲にフィットする。カバー８０１の材質は上記の指間装具２０３と同じ不織布でもよい。
厚みも約０．０２ｍｍ程度の不織布を使用すると、靴下を履き、靴を履いても、靴に負担にならない。袋綴じ部８０６は、熱の圧着で作製できる。
【００３４】  図９（ａ）から図９（ｃ）は、図８（ａ）の変形例である。カバー８０１の側面に開口部である切欠８１０、ひだ８２０、開口８１１がある。これらの部分から指を出すことができる。
これら開口部の位置は、挿入される足の前方、図では右には必要、他の部分にあってもよい。
開口部の種類は、図９（ａ）では、スリット、ライン状の切欠８１０、図９（ｂ）では、コの字の形のひだ８２０、図９（ｃ）では、長方形の開口８１１を設けた。それぞれの切欠８１０、ひだ８２０、開口８１１から、足の指を出すことができる。図６（ａ）と使用すると装着しにくい５本指の靴下に足指がするりと挿入され、装着しやすいインナーにもなる。
【００３５】  図９（ａ）で、切欠８１０は、カバー下部８０４に形成され、ライン状であり、指を出すことができる。
図９（ｂ）では、コの字の形のひだ８２０が、カバー下部８０４に形成されている。指間にひだ８２０が位置でき、上記と同様の効果がある。
図９（ｃ）では、カバー下部８０４に、長方形の開口８１１を設けている。
【００３６】  実施の形態７、８の発明は、カバー上部８０２と、前記カバー上部８０２の下に位置するカバー下部８０４と、上記カバー上部８０２と前記カバー下部８０４との間の一部に位置するカバー切り欠き部８０３とからなるカバー８０１であり、カバー切り欠き部８０３の直線部に対して、切り欠き中央部８０５が斜め下方向へ直線状に設けられて、カバー下部８０４の上端にシールされて、カバー下部８０４は袋状になり、前足を挿入する部分が形成される。切り欠き中央部８０５は前足を挿入すると開き、足の甲にフィットする。前記カバー８０１の足挿入口以外の外周を閉じてカバー切り欠き部８０３の直線部に対して、切り欠き中央部８０５が斜め下方向へ直線状に設けられていることに特徴があるカバー８０１である。
【００３７】  さらに、前記カバー上部８０２が筒状であり、前記カバー下部８０４が袋状であるカバーである。さらに、前記カバー上部８０２と前記カバー下部８０４とが不織布からなるカバーである。前記カバー下部８０４に指を出す開口部をさらに設けたカバーである。
【００３８】  （全体を通して）
なお、すべての上記例を通して以下が可能である。
製造方法が示されていない例は、図２、図３、図７に示している製造方法を変形、組み合わせて製造できる。
各実施の形態は、適時組み合わせることができる。特にひだの形状は各実施の形態を相互に用いることができる。
足の指で説明したが、手の指でも同様にも適用できる。冬季の手ぶくろの内にこの指間装具をはめてもよい。
【産業上の利用可能性】
【００３９】  本願発明の指間装具は、足や手の指に巻いて使用するものである。
【符号の説明】１００  包帯布
１０１  切込み
１０２  指
１０４  足
２０１  ひだ
２０２  芯
２０３  指間装具
３００  不織布
３０１  切れ目
４０１  開口
４０２  包み
４０３  パック
６０１  指入れ部
６０３  平面部
６０４  指入れ部
６０５  開口部
６０６  指間部
６０９  折り返し部
７０１  指入れ部
７０２  切り欠き
７０３  平面部
７０５  挿入口
７０９  折り返し部
８０１  カバー
８０２  カバー上部
８０３  カバー切り欠き部
８０４  カバー下部
８０５  切り欠き中央部
８０６  袋綴じ部
８１０  切欠
８１１  開口
８２０  ひだ
１００１  つなぎ目
１００２  わけ目
１０１２  わけ部
【要約】
【課題】  人に依存せず、各人の指間に、配置されるが、誰もが一番汗をかく、足指裏の凹みに十分にフィットする事ができる指間装具を実現する。
【解決手段】  線状の芯部と、前記芯部から放射状に配置されたひだ部とからなり、前記芯部と前記ひだ部とが、１つの不織布であることに特徴がある指間装具を用いる。上記指間装具が、シート状で積層されて、パックされている指間装具のパッケージであって、前記パッケージの上面に開口部がある指間装具のパッケージを用いる。
【選択図】図１【図１】
0005155434.tif 000002
【図２】
0005155434.tif 000003
【図３】
0005155434.tif 000004
【図４】
0005155434.tif 000005
【図５】
0005155434.tif 000006
【図６】
0005155434.tif 000007
【図７】
0005155434.tif 000008
【図８】
0005155434.tif 000009
【図９】
0005155434.tif 000010
【図１０】
0005155434.tif 000011